(57)【要約】【課題】梱包機の作業テーブルを，丸みを帯びた形状にする。【解決手段】梱包機１の作業テーブル１０を構成するボディ１１の外周面のうち，バンド通路１８と平行な面である側面１１１の両端に，回転軸を水平方向とする回転面である水平湾曲面２４と，回転軸を垂直方向とする回転面である垂直湾曲面２５を備えたコーナーブロック２０を取り付けると共に，前記ボディ１１の上部を覆う上面板１２に，本体部１２１と，該本体部１２１の他辺１２１ｂより下向きに突出する側部１２２を形成し，前記側部１２２の長さを，前記コーナーブロック２０，２０間の間隔に対応した長さに形成すると共に，前記側部１２２の断面を，前記コーナーブロック２０，２０の前記扇形垂直面２３の弧２３ｃに対応する湾曲形状に形成する。【選択図】図２
2020196513.tif 000002
【特許請求の範囲】
【請求項１】
四面を側壁で囲まれた枠状のボディの上部を２分割された上面板で覆うことにより中央にバンドが通過するバンド通路が形成された作業テーブルを備えた梱包機において，
前記ボディが，該ボディの外周面のうち，前記バンド通路と平行な面である側面の両端に取り付けられる一対のコーナーブロックを備え，
前記コーナーブロックが，
上辺を前記側面の上辺と，一方の側辺を前記側面の側辺と位置合わせして前記側面に接合される矩形垂直面と，
前記矩形垂直面の底辺と一辺を共有し，前記矩形垂直面と直交する水平面である扇形底面と，
前記矩形垂直面の他方の側辺と一辺を共用し，他辺を前記扇形底面の他辺と共有する，前記矩形垂直面及び前記扇形底面と直交する垂直面である扇形垂直面と，
回転軸を水平方向とする回転面又はこれに類似する湾曲面であって，前記矩形垂直面の前記上辺と前記扇型垂直面の弧によって画成される水平湾曲面，及び，
回転軸を垂直方向とする回転面又はこれに類似する湾曲面であって，前記矩形垂直面の前記一方の側辺と前記扇型底面の弧によって画成される垂直湾曲面を備え，
前記上面板に，前記ボディの上部を覆う本体部と，前記本体部の前記バンド通路を成す一辺と平行な他辺より下向きに突出する側部を形成し，
前記側部の長さを，前記コーナーブロック間の間隔に対応した長さに形成すると共に，前記側部の断面を，前記コーナーブロックの前記扇形垂直面の弧に対応する湾曲形状に形成し，
前記側部を前記コーナーブロック間に配置した状態で，前記上面板の前記本体部で，前記ボディの上面を覆ったことを特徴とする梱包機。
【請求項２】
前記上面板を，前記ボディの上部を覆う本体部と，前記本体部の前記バンド通路を成す一辺と平行な他辺に取り付けた，前記コーナーブロックの前記扇型垂直面に対応する断面形状を有する柱材によって形成し，前記柱材の湾曲面を前記側部と成すと共に，
前記柱材の長さを，前記コーナーブロック間の間隔に対応した長さに形成し，該柱材の両端面が，前記コーナーブロックの前記扇形垂直面と対峙するように前記柱材を前記コーナーブロック間に収容して前記上面板の前記本体部で，前記ボディの上面を覆ったことを特徴とする請求項１記載の梱包機。
【請求項３】
前記ボディの前記側面に，前記コーナーブロックを載置すると共に前記コーナーブロックの前記垂直湾曲面を下方に延長する，前記コーナーブロックの取付支持体を設けたことを特徴とする請求項１又は２記載の梱包機。
【請求項４】
前記コーナーブロックの取付位置の下端において前記側面を全長に亘って外向きに突出させて段部を形成し，該段部の両端部分を，前記取付支持体としたことを特徴とする請求項１〜３いずれか１項記載の梱包機。
【請求項５】
前記側面の長手方向両端に，前記コーナーブロックの前記扇形底面に対応する断面形状を有する柱材からなる脚部を取り付け，該脚部の上端部分を，前記取付支持体としたことを特徴とする請求項１〜３いずれか１項記載の梱包機。
【請求項６】
前記コーナーブロックの前記扇形垂直面と扇型底面を略同一形状としたことを特徴とする請求項１〜５いずれか１項記載の梱包機。
【発明の詳細な説明】
【技術分野】
【０００１】
本発明は，被梱包物にバンドを巻き付けて梱包を行う梱包機に関し，より詳細には，梱包時，梱包対象とする被梱包物を載置する作業テーブルの構造に特徴を有する梱包機に関する。
【背景技術】
【０００２】
バンドを被梱包物に巻き付けて梱包する梱包機１００では，図７に示すように，梱包物を載置する作業テーブル１１０と，梱包に使用するＰＰバンド等のバンドが巻かれたバンドリール１７０と，前記バンドリール１７０よりバンドを引き出して前記作業テーブル１１０上に送り出すと共に，送り出したバンドを引き戻すローラユニット１５０，及び，前記バンドの端部を把持すると共に，該バンドの切断と溶着を行うシールユニット１６０を備えている（特許文献１参照）。
【０００３】
このような梱包機１００では，ローラユニット１５０によって作業テーブル１１０上に送り出されたバンドを被梱包物に巻き掛けると共にシールユニット１６０がバンドの先端を把持した状態でローラユニット１５０を逆転させて被梱包物上でバンドの引き締めを行った後，シールユニット１６０がバンドの切断とバンドの端部間の溶着を行うことで，バンドによる被梱包物の梱包が行われる。
【０００４】
このような梱包機の作業テーブル１１０は，四面を側壁で囲まれた平面視において矩形状を有する枠状のボディ１１１の上部開口部分を，中央にバンドが通過するバンド通路１１８が形成されるように，２枚に分割された上面板１１２で覆被することにより形成されており，上面板１１２で覆われたボディ１１１内に前述のローラユニット１５０やシールユニット１６０を収容することができるように構成されている。
【０００５】
このボディ１１１の上部を覆う上面板１１２として，前掲の特許文献１に記載の梱包機１００では，図７に示すように，前記ボディ１１１の上部開口を覆う本体部１１２ａの他に，この本体部１１２ａのバンド通路１１８を構成する一辺と平行を成す一辺より，下方に向かって突出する側部１１２ｂを設け，この側部１１２ｂが，ボディ１１０の上端側の外壁面に当接するように上面板１１２をボディ１１１に取り付けるように構成している。
【０００６】
なお，このような梱包機１００の作業テーブル１１０として，作業テーブル１１０の上面周縁Ｅとコーナー部Ｃに丸みを持たせた形状としたものもあり，一例として後掲の非特許文献１には，２分割された各上面板１１２の本体部１１２ａの，バンド通路１１８を構成する一辺を除く各辺から下向きに突出する側部１１２ｂを設けると共に，本体部１１２ａと各側部１１２ｂとの境界部分，及び各側部間の境界部分をいずれも断面湾曲形状となるようにすることで（本体部１１２ａと側部１１２ｂとの境界部分につき図８中の参考断面図参照），作業テーブルの上面周縁Ｅ，及びコーナー部Ｃに丸みを持たせた形状の梱包機１００が記載されている（非特許文献１中の「D55LB 超低床型」を参照）。
【先行技術文献】
【特許文献】
【０００７】
【特許文献１】特開２００３−１７０９０６号公報
【非特許文献】
【０００８】
【非特許文献１】2018年 ストラパック株式会社発行の商品カタログ「Ｄ５５シリーズ 半自動梱包機」（http://www.strapack.co.jp/product/pdf/D55lalb.pdf）
【発明の概要】
【発明が解決しようとする課題】
【０００９】
以上で説明した梱包機１００を使用して被梱包物の梱包を行うためには，被梱包物を持ち上げて作業テーブル１１０上に載置する必要がある。
【００１０】
この際，前掲の特許文献１として紹介した梱包機１００（図７参照）のように，作業テーブル１１０の上面周縁Ｅやコーナー部Ｃが角張った形状であると，被梱包物を作業テーブル１１０上に載置する際に被梱包物をこれらの部分にぶつけてしまうと，被梱包物，あるいは段ボール箱等の被梱包物を包装している包装容器に傷を付けてしまい，被梱包物の商品価値を低下させてしまうおそれがある。
【００１１】
また，作業テーブル１１０の上面周縁Ｅやコーナー部Ｃが角張った形状であると，作業中に作業者の手や腕，その他の身体の一部がこの部分にぶつかると痛いだけでなく，ぶつける程度やぶつける身体の部位によっては怪我をするおそれもあり，角張った形状の作業テーブルは危険でもある。
【００１２】
更に，梱包機１００を付属のキャスタ１８０で走行させる等して移動させる際に，作業テーブル１００の角張った部分が周辺の機器や構造物等に接触する等して，相手部材を傷付けてしまうおそれもある。
【００１３】
そのため，梱包機１００の作業テーブル１１０は，角の無い，丸みを帯びた形状とすることが好ましい。
【００１４】
これに対し，非特許文献１に記載の梱包機１００のように，作業テーブル１１０の上面周縁Ｅやコーナー部Ｃを，丸みを帯びた形状としたものでは，これらの部分に被梱包物や周辺の機器等が衝突してもこれらを傷付け難いだけでなく，作業者に怪我等を負わせ難いものともなっている。
【００１５】
しかし，非特許文献１に記載の梱包機１００では，金属板をプレス加工等することにより上面板１１２を本体部１１２ａから側部１１２ｂに至るまで一体的に成形することにより作業テーブル１１０の上面周縁Ｅとコーナー部Ｃに丸みを持たせた形状としているため，このような形状の作業テーブル１１０を製造するためには，上面板１１２のサイズ毎に専用のプレス成形用金型を使用して成形を行う必要がある等，梱包機の製造コストが嵩む。
【００１６】
また，作業テーブル１１０の上面板１１２が一体成形されているため，移動時の衝突等によってその一部分が破損，変形等した場合であっても，上面板１１２全体を交換する必要があり，修理，交換等の際のコストも嵩む。
【００１７】
そこで，本発明は，上記従来技術における欠点を解消するために成されたものであり，梱包機の作業テーブルを，上面周縁やコーナー部に丸みを持たせた形状として安全性等に配慮した設計としたものでありながら，比較的簡単かつ安価に製造することができ，しかも破損等が生じた場合であっても，部分的な交換等によって対応することが可能な作業テーブルを備えた梱包機を提供することを目的とする。
【課題を解決するための手段】
【００１８】
以下に，課題を解決するための手段を，発明を実施するための形態で使用する符号と共に記載する。この符号は，特許請求の範囲の記載と，発明を実施するための形態の記載との対応を明らかにするためのものであり，言うまでもなく，本発明の技術的範囲の解釈に制限的に用いられるものではない。
【００１９】
上記目的を達成するために，本発明の梱包機１は，
四面を側壁で囲まれた枠状のボディ１１の上部を２分割された上面板１２で覆うことにより中央にバンドが通過するバンド通路１８が形成された作業テーブル１０を備えた梱包機１において（図１参照），
前記ボディ１１が，該ボディ１１の外周面のうち，前記バンド通路１８と平行な面である側面１１１の両端に取り付けられる一対のコーナーブロック２０を備え（図２参照），
前記コーナーブロック２０が，
上辺２１ａを前記側面１１１の上辺１１１ａと，一方の側辺２１ｂを前記側面１１１の側辺１１１ｂと位置合わせして前記側面１１１に接合される矩形垂直面２１と（図３及び図４参照），
前記矩形垂直面２１の底辺２１ｃと一辺２２ａを共有し，前記矩形垂直面２１と直交する水平面である扇形底面２２と〔図４（Ｆ）参照〕，
前記矩形垂直面２１の他方の側辺２１ｄと一辺２３ａを共用し，他辺２３ｂを前記扇形底面２２の他辺２２ｂと共有する，前記矩形垂直面２１及び前記扇形底面２２と直交する垂直面である扇形垂直面２３と〔図４（Ｃ）参照〕，
回転軸を水平方向とする回転面又はこれに類似する湾曲面であって，前記矩形垂直面２１の前記上辺２１ａと前記扇型垂直面２３の弧２３ｃによって画成される水平湾曲面２４〔図４（Ａ），（Ｂ）参照〕，及び，
回転軸を垂直方向とする回転面又はこれに類似する湾曲面であって，前記矩形垂直面２１の前記一方の側辺２１ｂと前記扇型底面２２の弧２２ｃによって画成される垂直湾曲面２５〔図４（Ａ），（Ｄ）参照〕を備え，
前記上面板１２に，前記ボディ１１の上部を覆う本体部１２１と，前記本体部１２１の前記バンド通路を成す一辺１２１ａと平行な他辺１２１ｂより下向きに突出する側部１２２を形成し（図１，図２及び図５参照），
前記側部１２２の長さを，前記コーナーブロック２０，２０間の間隔に対応した長さに形成すると共に，前記側部１２２の断面（図２の例では柱材１３の湾曲面の断面）を，前記コーナーブロック２０，２０の前記扇形垂直面２３の弧２３ｃに対応する湾曲形状に形成し，
前記側部１２２を前記コーナーブロック２０，２０間に配置した状態で，前記上面板１２の前記本体部１２１で，前記ボディ１１の上面を覆ったことを特徴とする（請求項１）。
【００２０】
前記上面板１２を，前記ボディ１１の上部を覆う本体部１２１と，前記本体部１２１の前記バンド通路１８を成す一辺１２１ａと平行な他辺１２１ｂに取り付けた，前記コーナーブロック２０，２０の前記扇型垂直面２３に対応する断面形状を有する柱材１３によって形成し，前記柱材１３の湾曲面を前記側部１２２と成すと共に，
前記柱材１３の長さを，前記コーナーブロック２０，２０間の間隔に対応した長さに形成し，該柱材１３の両端面１３ａ，１３ｂが，前記コーナーブロック２０，２０の前記扇形垂直面２３と対峙するように前記柱材１３を前記コーナーブロック２０，２０間に収容して前記上面板１２の前記本体部１２１で，前記ボディ１１の上面を覆うものとしても良い（請求項２；図２参照）。
【００２１】
前記ボディ１１の前記側面１１１に，前記コーナーブロック２０，２０を載置すると共に前記コーナーブロック２０，２０の前記垂直湾曲面２５を下方に延長する，前記コーナーブロック２０，２０の取付支持体３０を設けるものとすることができる（請求項３）。
【００２２】
この取付支持体３０は，
前記コーナーブロック２０，２０の取付位置の下端において前記側面１１１を全長に亘って外向きに突出させて段部３１を形成し，該段部３１の両端部分を，前記取付支持体３０とすることができる（請求項４：図２参照）。
【００２３】
または，前記側面１１１の長手方向両端に，前記コーナーブロック２０，２０の前記扇形底面２２に対応する断面形状を有する柱材からなる脚部４０を取り付け，該脚部４０の上端部分を，前記取付支持体３０とするものとしても良い（請求項５：図６参照）。
【００２４】
前記コーナーブロック２０，２０は，前記扇形垂直面２３と扇型底面２２を略同一形状とするものとしても良い（請求項６：図４参照）。
【発明の効果】
【００２５】
以上で説明した本発明の構成により，本発明の梱包機１では，以下の顕著な効果を得ることができた。
【００２６】
ボディ１１の側面１１１の両端にコーナーブロック２０，２０を取り付けることで，プレス成形等の板金加工を行うことなしに，比較的容易に作業テーブル１０のコーナー部Ｃを，丸みを持った形状とすることができた。
【００２７】
また，作業テーブルの大きさに拘わりなく，共通のコーナーブロック２０，２０を使用して，コーナー部Ｃに丸みを持たせることが可能である。従って，プレス成形によってコーナー部Ｃに丸みを持たせる場合のように作業テーブル１０のサイズ毎にプレス成形用金型等を準備する必要がなく，かつ，複数の梱包機１間で共通のコーナーブロック２０を使用でき，梱包機１の製造コストを削減することができた。
【００２８】
更に，ボディ１１や上面板１２とは別部材として構成されたコーナーブロック２０は，ボディ１１や上面板１２とは異なる材質のものとすることが可能で，合成樹脂やゴム等の金属に比較して軟質な材料で形成することで，他部材等と衝突した際に相手方を傷付け難くすることができた。
【００２９】
また，移動時の衝突等によって作業テーブル１０のコーナー部Ｃに変形や破損等が生じた場合であっても，コーナーブロック２０の交換のみで対応することが可能であり，上面板１２全体の交換を行う場合等に比較して，メンテナンスや修理の際のコストについても削減することができた。
【００３０】
上面板１２を，前記ボディ１１の上部を覆う本体部１２１と，該本体部１２１に取り付けた柱材１３によって形成し，前記柱材１３の湾曲面により前記側部１２２を形成した構成では，上面板１２に対してもプレス成形等の板金加工を行うことなしに，容易に丸みを帯びた形状の作業テーブルを製造することができた。
【００３１】
また，柱材１３を，コーナーブロック２０，２０間の間隔に対応した長さに形成し，該柱材１３の両端面１３ａ，１３ｂが，前記コーナーブロック２０，２０の前記扇形垂直面２３と対峙するように前記柱材１３を前記コーナーブロック２０，２０間に収容することにより，コーナーブロック２０，２０から上面板１２の側部１２２に向かって連続的に形状が変化することで，作業テーブル１０をデザイン的にも優れたものとすることができた。
【００３２】
なお，上面板１２を，ステンレス板等により構成される本体部１２１と，柱材１３により構成し，この柱材１３の湾曲面を前述の側部１２２とした構成では，上面板１２の一部に破損や変形等が生じた場合，上面板１２全体を交換することなく，本体部１２１又は柱材１３いずれか一方の交換によっても対応することも可能であり，経済的である。
【００３３】
前記ボディ１１の前記側面１１１に，前記コーナーブロック２０，２０を載置すると共に，前記コーナーブロック２０の前記垂直湾曲面２５を下方に延長する取付支持体３０を設けた構成では，前述したボディ１１のコーナー部についても丸みを帯びた形状とすることができた。
【００３４】
このような取付支持体３０は，前記コーナーブロック２０，２０の取付位置の下端において前記側面１１１を全長に亘って外向きに突出させて段部３１を形成し，該段部３１の両端部分を，前記取付支持体３０とすることで容易に形成することができた。
【００３５】
また，前記側面１１１の長手方向両端に，前記コーナーブロック２０，２０の扇形底面２２に対応する断面形状を有する柱材からなる脚部４０を取り付け，該脚部４０の上端部分を，前記取付支持体３０とすることによっても，ボディ１１のコーナー部を，全体として丸みを帯びた形状とすることができた。
【００３６】
なお，前記コーナーブロック２０，２０の前記扇形垂直面２３と扇型底面２２を略同一形状とした構成では，上面板１２を本体部１２１と柱材１３の組み合わせにより形成し（請求項２），かつ，前述した取付支持体３０を脚部４０の上端部分によって構成する場合（請求項５），脚部４０を構成する柱材と，上面板１２に設ける柱材１３を，共通の柱材（型材）を必要な長さに切断して形成することができ，部品の共通化によって資材の調達コストを更に抑えることができた。
【図面の簡単な説明】
【００３７】
【図１】本発明の梱包機の斜視図。
【図２】本発明の梱包機の分解斜視図。
【図３】図２におけるコーナーブロックの取り付け部分の拡大分解斜視図。
【図４】左側コーナーブロックの（Ａ）は正面図，（Ｂ）は平面図，（Ｃ）は右側面図，（Ｄ）は左側面図，（Ｅ）は背面図，（Ｆ）は底面図。
【図５】上面板の（Ａ）は正面図，（Ｂ）は平面図，（Ｃ）は右側面図。
【図６】本発明の別の梱包機の分解斜視図。
【図７】従来の梱包機の斜視図（特許文献１の図２に対応）
【図８】従来の梱包機の斜視図。
【発明を実施するための形態】
【００３８】
以下に，添付図面を参照しながら本発明の梱包機１について説明する。
【００３９】
本発明の梱包機１は，図１に示すように，四面を側壁で囲まれた枠形構造を有するボディ１１の上面開口部を，中央にバンド通路１８が形成されるように二分割された上面板１２，１２で覆うことにより形成された作業テーブル１０を備え，該作業テーブル１０のボディ１１内には，図２に示すようにバンドの給送と引き戻しを行うローラユニット５０や，被梱包物に巻回されたバンドの端部を切断すると共に溶着するシールユニット６０が収容されている点は，図７を参照して説明した従来の梱包機１００と同様である。
【００４０】
なお，図示の実施形態では，前述した上面板１２の下方にバンドリール７０の配置スペースを確保するために，ボディ１１の四隅より下方に向かって突出する脚部４０を設けると共に，この脚部４０の下端にキャスタ８０を取り付けて，梱包機１の移動を容易に行うことができるように構成している。
【００４１】
もっとも，本発明の梱包機１は，図示の構成に限定されず，図６に示すように，ボディ１１を構成する側壁の全部または一部を，最大，脚部４０の長さ分，下方に延長するものとしても良く，一例として側壁の全てを下方に延長する場合，脚部を設けずにボディ１１の下端に直接，キャスタ８０を取り付ける構成を採用するものとしても良い。
【００４２】
また，図示の実施形態では，前述したバンドリール７０を上面板１２の下方に配置する構成について説明したが，バンドリール７０の配置は，図８を参照して説明した従来の梱包機同様，作業テーブルの側方に配置するものとしても良く，その配置は，図示の構成に限定されない。
【００４３】
前述のボディ１１の外周面は，バンド通路１８と平行を成す側面１１１と，バンド通路１８と直交する端面１１２により構成されており，このうちの側面１１１の両端には，後述するコーナーブロック２０，２０が取り付けられている。
【００４４】
このコーナーブロック２０には，左側コーナーブロックと，この左側コーナーブロックと対称形状を有する，右側コーナーブロックがあり，このうちの左側コーナーブロックの構成を図４に示す。
【００４５】
図４に示すように，コーナーブロック２０は，図４（Ｅ）の背面図に表れる矩形垂直面２１と，この矩形垂直面２１の底辺２１ｃと一辺２２ａを共有し，前記矩形垂直面２１と直交する水平面である扇形底面２２と〔図４（Ｆ）参照〕，前記矩形垂直面２１の他方の側辺２１ｄと一辺２３ａを共用し，他辺２３ｂを前記扇形底面２２の他辺２２ｂと共有する，前記矩形垂直面２１及び前記扇形底面２２と直交する垂直面である扇形垂直面２３〔図４（Ｃ）参照〕と，回転軸を水平方向とする回転面又はこれに類似する湾曲面であって，前記矩形垂直面２１の上辺２１ａと前記扇型垂直面２３の弧２３ｃによって画成される水平湾曲面２４〔図４（Ａ），（Ｂ）参照〕，及び，回転軸を垂直方向とする回転面又はこれに類似する湾曲面であって，前記矩形垂直面２１の一方の側辺２１ｂと前記扇型底面２２の弧２２ｃによって画成される垂直湾曲面２５〔図４（Ａ），（Ｄ）参照〕を備える。
【００４６】
従って，図３に示すように，コーナーブロック２０の前記矩形垂直面２１の上辺２１ａを，前記ボディ１１の前記側面１１１の上辺１１１ａと位置合わせすると共に，コーナーブロック２０の矩形垂直面２１の一方の側辺２１ｂを，前記ボディ１１の前記側面１１１の側辺１１１ｂと位置合わせして，前記矩形垂直面２１と前記側面１１１とが重なり合うように，ボディ１１にコーナーブロック２０，２０を取り付けると，コーナーブロック２０，２０に設けた垂直湾曲面２５及び水平湾曲面２４によって作業テーブル１０のコーナー部Ｃが丸みを帯びた形状となる。
【００４７】
一例として，本実施形態では，扇形垂直面２３と扇形底面２２の弧２３ｃ，２２ｃの半径をいずれも３２mmと成すと共に，垂直湾曲面２５と水平湾曲面２４の境界に生じる稜線２６〔図４（Ａ）参照〕に，半径３mmのアール面取りを行うことで，テーブル１０のコーナー部Ｃに触れても痛くなく，かつ，被梱包物等に衝突しても損傷を与えない程度の丸みを持たせている。
【００４８】
また，図示の例では，コーナーブロック２０の，取り付け時に見えない部分にリブが現れる肉抜き構造として，軽量化と使用する樹脂材料の減量を図っているが，図示の例に限定されず，コーナーブロック２０はこれを中実構造としても良い。
【００４９】
前述したコーナーブロック２０，２０が取り付けられるボディ１１の側面１１１には，好ましくは，コーナーブロック２０，２０を載置すると共に，コーナーブロック２０，２０の垂直湾曲面２５を下方に延長する取付支持体３０が設けられている。
【００５０】
図２及び図３に示す実施形態では，コーナーブロック２０，２０の取付位置の下端よりも下方の側面１１１全体を機外側に突出させて段部３１を形成し，この段部３１の両端部分に前述した取付支持体３０を形成している。
【００５１】
なお，この取付支持体は，図６に示すように，側面１１１の両端に，コーナーブロック２０，２０の扇形底面２２に対応する断面形状を有する柱材からなる脚部４０を取り付け，この脚部４０の上端部分を，前述した取付支持体３０とするものとしても良い。
【００５２】
このように，コーナーブロック２０，２０の垂直湾曲面２５を下方に延長する取付支持体３０を設けたことで，ボディ１１の側面１１１と端面１１２とが交叉する，ボディ１１のコーナー部にも丸みを持たせることができる。
【００５３】
ボディ１１に対するコーナーブロック２０の取り付けを容易とするために，コーナーブロック２０の扇形底面２２と矩形垂直面２１には，図４に示すように位置決め用の突起２７，２８を設けるものとしても良く，取付支持体３０の上面と，側面１１１の対応位置に，この突起２７，２８と嵌合する位置決め用の孔（図示せず）を設けるものとしても良い。
【００５４】
また，コーナーブロック２０の矩形垂直面２１には，ネジ孔２９が設けられており〔図４（Ｅ）参照〕，このネジ孔２９に対応する位置の側面１１１には，図３に示すように貫通孔１１１ｃが形成されている。
【００５５】
従ってこの構成では，コーナーブロック２０に設けた位置決め用の突起２７，２８を，取付支持体３０の上面と側面１１１に設けた位置決め用の孔（図示せず）内に挿入した状態で，ボディの内側から側面１１１に設けた貫通孔１１１ｃを介してコーナーブロックの矩形垂直面２１に設けたネジ孔２９にボルトを螺合することで，側面１１１上の正確な位置に，正しい向きで，コーナーブロック２０を強固に取り付けることができるように構成されている。
【００５６】
前述のボディ１１の上部開口を覆う上面板１２は，ボディ１１の上部を覆う本体部１２１と，前記本体部１２１のバンド通路１８を成す一辺１２１ａと平行な他辺１２１ｂより下向きに突出する側部１２２を備えている。
【００５７】
この本体部１２１と側部１２２は，一枚の金属板を曲げ加工等することにより一体的に形成するものとしても良いが，本実施形態では，上面板１２を，図２及び図５に示すように金属板等から成る前記本体部１２１の前記他辺１２１ｂに，コーナーブロック２０の扇型垂直面２３の形状に対応する断面形状を有する柱材１３を取り付け，この柱材１３の湾曲面を，上面板１２の側部１２２としている。
【００５８】
なお，前記コーナーブロック２０の前記矩形垂直面２１を正方形に近い形状とし，前記扇形垂直面２３と扇型底面２２を略同一形状とした本実施形態の構成では，図６を参照して説明したように断面扇型の柱材から成る脚部４０を設ける場合，上面板１２に設ける柱材１３と脚部４０を，共通の型材で製造することができるため，梱包機の製造コストを低く抑えることが可能となる。
【００５９】
上面板１２を構成する前述の柱材１３は，コーナーブロック２０，２０間の間隔に対応した長さに形成され，柱材１３の両端面１３ａ，１３ｂが，各コーナーブロック２０，２０の扇型垂直面２３，２３と対峙するように柱材１３をコーナーブロック２０，２０間に配置した状態で，上面板１２の本体部１２１によって，ボディ１１の上端開口部を覆うように上面板１２をボディ１１に取り付ける。
【００６０】
このように構成することで，前述したコーナーブロック２０，２０の取り付けにより，コーナーブロック２０，２０に設けた垂直湾曲面２５及び水平湾曲面２４により，作業テーブル１０のコーナー部Ｃを，丸みを帯びた形状とすることができる。
【００６１】
また，コーナーブロック２０を載置すると共に，コーナーブロック２０の垂直湾曲面２５を下向きに延長する取付支持体３０を設けた構成では，側面１１１と端面１１２との交叉部分であるボディ１１のコーナー部についても丸みを帯びた形状とすることができる。
【００６２】
更に，通常，作業者は，ボディ１１の側面１１１側に立って作業テーブル１０に対する被梱包物の上げ下ろしを行うが，作業テーブル１０の上面周縁Ｅのうち，側面１１１側の上面周縁Ｅが丸みを帯びた形状となっていることで，被梱包物の上げ下げの際に，この部分に被梱包物が衝突しても被梱包物を傷付け難く，また，作業者の身体の一部が衝突等した場合でも，怪我等を負い難い構造となっている。
【００６３】
しかも，このように丸みを持たせた形状の作業テーブル１０を，プレス加工等の板金加工を最小限とし，コーナーブロック２０や柱材１３等の部品の取り付けにより実現していること，これらの部品は，小型の作業テーブルから大型の作業テーブルまで，共通して使用でき，作業テーブル１０を比較的安価に製造することができる。
【００６４】
しかも，作業テーブル１０のコーナー部Ｃや上面周縁Ｅ等は，移動等の際にぶつけて変形や破損等を生じさせ易い部分となっているが，このような変形や破損が生じた場合であっても，上面板１２全体を交換することなく，コーナーブロック２０や柱材１３の交換によって対応することが可能となるため，経済的に修理等を行うことが可能である。
【符号の説明】
【００６５】
１  梱包機
１０  作業テーブル
１１  ボディ
１１１  側面（ボディ１１の）
１１１ａ  上辺（側面１１１の）
１１１ｂ  側辺（側面１１１の）
１１１ｃ  貫通孔
１１２  端面（ボディ１１の）
１２  上面板
１２１  本体部
１２１ａ  一辺（本体部１２１の）
１２１ｂ  他辺（本体部１２１の）
１２２  側部
１３  柱材
１３ａ，１３ｂ  端面（柱材１３の）
１８  バンド通路
２０  コーナーブロック
２１  矩形垂直面
２１ａ  上辺（矩形垂直面２１の）
２１ｂ  一方の側辺（矩形垂直面２１の）
２１ｃ  底辺（矩形垂直面２１の）
２１ｄ  他方の側辺（矩形垂直面２１の）
２２  扇形底面
２２ａ  一辺（扇形底面２２の）
２２ｂ  他辺（扇形底面２２の）
２２ｃ  弧（扇形底面２２の）
２３  扇形垂直面
２３ａ  一辺（扇形垂直面２３の）
２３ｂ  他辺（扇形垂直面２３の）
２３ｃ  弧（扇形垂直面２３の）
２４  水平湾曲面
２５  垂直湾曲面
２６  稜線
２７，２８  突起
２９  ネジ孔
３０  取付支持体
３１  段部
４０  脚部
５０  ローラユニット
６０  シールユニット
７０  バンドリール
８０  キャスタ
１００  梱包機
１１０  作業テーブル
１１１  ボディ
１１２  上面板
１１２ａ  本体部
１１２ｂ  側部
１１８  バンド通路
１５０  ローラユニット
１６０  シールユニット
１７０  バンドリール
１８０  キャスタ
Ｅ  上面周縁（作業テーブルの）
Ｃ  コーナー部（作業テーブルの）
【図１】
2020196513.tif 000003
【図２】
2020196513.tif 000004
【図３】
2020196513.tif 000005
【図４】
2020196513.tif 000006
【図５】
2020196513.tif 000007
【図６】
2020196513.tif 000008
【図７】
2020196513.tif 000009
【図８】
2020196513.tif 000010